(57)【要約】  【課題】記録装置及び該記録装置を備えた複合装置を構成する各部位の分解合体を容易にすることで、ユーザ自身による一部の部位の取り替えや一部の部位の機能増強を可能にし、記録装置及び複合装置の修理や性能向上を容易にする。  【解決手段】電力を供給するための電源部位及び記録ヘッドを稼働させるための主基板及びモータからなるヘッド稼働部位を分解合体可能に構成した電気機能部位、並びに、少なくとも記録媒体に記録するためのヘッド走査部位を分解合体可能に構成した機械的機能部位の少なくとも２つの部位に分解可能にする。【選択図】                図３
2006123187.tif 000002
【特許請求の範囲】
【請求項１】
画像情報に基づいて記録ヘッドにより記録媒体に記録する記録装置において、
電気的機能部位及び機械的機能部位の少なくとも２つ以上の部位に分解可能であり、合体可能であり、分解合体可能であることを特徴とする記録装置。
【請求項２】
前記電気機能部位は、電力を供給するための電源部位及び記録ヘッドを稼働させるための主基板及びモータからなるヘッド稼働部位を備え、前記機械的機能部位は、少なくとも記録媒体に記録するためのヘッド走査部位を備え、これらの部位ごとに分解合体可能であることを特徴とする請求項１に記載の記録装置。
【請求項３】
前記機械的機能部位は、前記ヘッド走査部位の他に、記録媒体を供給するための給紙部位及び記録された記録媒体を排出するための排紙部位を備え、これらの部位ごとに分解合体可能であることを特徴とする請求項１又は２に記載の記録装置。
【請求項４】
前記少なくとも２つの部位は、少なくとも１回以上繰り返し合体可能であることを特徴とする請求項１〜３のいずれか１項に記載の記録装置。
【請求項５】
前記少なくとも２つの部位は、パッチ、凹凸部又は磁力によって合体されることを特徴とする請求項１〜４のいずれか１項に記載の記録装置。
【請求項６】
分解された部位を合体した装置の相対的合体位置が分解前と異なることを特徴とする請求項１〜５のいずれか１項に記載の記録装置。
【請求項７】
分解された部位を合体した装置は、分解前の１部の部位で構成されることを特徴とする請求項１〜６のいずれか１項に記載の記録装置。
【請求項８】
分解された部位を合体した装置は、分解した各部位以外の部位を有することを特徴とする請求項１〜７のいずれか１項に記載の記録装置。
【請求項９】
分解した各部位以外の部位は、分解前の対応する部位と同じ性能を有することを特徴とする請求項８に記載の記録装置。
【請求項１０】
分解した各部位以外の部位は、分解前の対応する部位と異なる性能を有することを特徴とする請求項８に記載の記録装置。
【請求項１１】
複数のヘッド走査部位を有することを特徴とする請求項１〜１０のいずれか１項に記載の記録装置。
【請求項１２】
複数の同じヘッド走査部位を有することを特徴とする請求項１１に記載の記録装置。
【請求項１３】
複数の異なるヘッド走査部位を有することを特徴とする請求項１１に記載の記録装置。
【請求項１４】
走査方向が異なるヘッド走査部位を有することを特徴とする請求項１１〜１３のいずれか１項に記載の記録装置。
【請求項１５】
複数の紙送り部位を有することを特徴とする請求項１〜１４のいずれか１項に記載の記録装置。
【請求項１６】
請求項１〜１５のいずれか１項に記載の記録装置を有する複合装置。
【請求項１７】
インクジェット記録装置及び複合装置の収納方法において、少なくとも２つ以上の部位に分解可能であり、前記部位は電気的機能部位と、機械的機能部位に分解可能であることを特徴とする収納方法。
【請求項１８】
前記部位を２つ以上用い、少なくとも１回以上繰り返し合体可能であることを特徴とする請求項１７に記載の収納方法。
【請求項１９】
前記部位の相対的合体位置が分解前と異なることを特徴とする請求項１８に記載の収納方法。
【発明の詳細な説明】
【技術分野】
【０００１】
本発明は画像情報に基づいて記録媒体に記録する記録装置及び該記録装置を備えた複合装置に関する。
【背景技術】
【０００２】
画像情報に基づいて記録媒体に記録するプリンタ機能を備えた記録装置、あるいは該プリンタ機能の他に、ファクシミリ機能、原稿読み取り機能あるいは撮像機能などの他の機能を付加した複合装置が使用されている。図２４は、画像情報に基づいて記録媒体に記録する記録装置の従来例を示す模式的斜視図である。このような記録装置あるいは該記録装置を備えた複合装置を構成する各部位は、大別すると、記録媒体を供給するための給紙部位、記録媒体に記録するためのヘッド走査部位、記録された記録媒体を排出するための排紙部位、電力を供給するための電源部位、記録ヘッドを稼働させるための主基板及びモータからなるヘッド稼働部位に分けることができる。従来の記録装置及び該記録装置を備えた複合装置では、図２４に示すように、上述の各部位が一体化され、事実上分解することができなかった。そのため、次のように不都合な点があった。
【０００３】
すなわち、記録装置及び複合装置の一部が壊れた場合、装置ごとに買い替える必要があった。また、一部の部位が高機能になった記録装置又は複合装置をメーカーから提供された場合にも、同様に記録装置もしくは複合装置を装置ごと買い替える必要があった。そこで、ユーザから、壊れた一部の部位や高機能になった一部の部位のみを買い替えたいという要請がでるようになってきた。また、記録装置又は複合装置を収納する際、各機能を有する部位が一体となっているために、装置自体の外形形状を自由自在に変形することができなかった。
【０００４】
関連する技術を開示する文献には、資源の再利用を行うために装置をユニットや部品に解体する発明を開示する特開２００１−１２１３５８（特許文献１）、あるいは、装置の各構成部品のメンテナンスを容易にするために装置を分解する発明を開示する特開２００１−１９９１２４（特許文献２）がある。しかし、装置を分解した後の合体や変形により機能向上や収納スペースの有効活用を図るような技術は存在しなかった。
【特許文献１】特開２００１−１２１３５８
【特許文献２】特開２００１−１９９１２４
【発明の開示】
【発明が解決しようとする課題】
【０００５】
すなわち、従来の記録装置及び該記録装置を備えた複合装置では、装置の一部位が壊れた場合、製造メーカーでの交換は可能であるが、ユーザが独自に交換することは不可能であった。また、高機能になった一部位を個人が所有する記録装置又は複合装置に取り付けようとしても、ユーザが独自に行うことは不可能であった。さらに、非使用時に記録装置又は複合装置を収納する場合、収納スペースに制約があるため、そのままの形状でしか収納できない従来の装置では、収納場所を確保することが難しい場合があった。
【０００６】
本発明はこのような技術的課題に鑑みてなされたものであり、本発明の目的は、記録装置及び該記録装置を備えた複合装置を構成する各部位の分解合体を容易にすることで、ユーザ自身による一部の部位の取り替えや一部の部位の機能増強を可能にし、記録装置及び該記録装置を備えた複合装置の修理や性能向上を容易にすることである。
【課題を解決するための手段】
【０００７】
本発明は、上記目的を達成するため、画像情報に基づいて記録ヘッドにより記録媒体に記録する記録装置において、電気的機能部位及び機械的機能部位の少なくとも２つ以上の部位に分解可能であり、合体可能であり、分解合体可能であることを特徴とする。
具体的には、例えば、上記電気機能部位は、電力を供給するための電源部位及び記録ヘッドを稼働させるための主基板及びモータからなるヘッド稼働部位を備え、上記機械的機能部位は、少なくとも記録媒体に記録するためのヘッド走査部位を備え、これらの部位ごとに分解合体可能であるように構成される。
また、本発明は、上記目的を達成するため、インクジェット記録装置及び複合装置の収納方法において、少なくとも２つ以上の部位に分解可能であり、前記部位は電気的機能部位と、機械的機能部位に分解可能であることを特徴とする。
【発明の効果】
【０００８】
上記構成の本発明によれば、記録装置及び該記録装置を備えた複合装置を構成する各部位の分解合体を容易にすることで、ユーザ自身による一部の部位の取り替えや一部の部位の機能増強を可能にすることができ、記録装置及び該記録装置を備えた複合装置の修理や性能向上を容易にすることができる。
さらには、、分解後の合体により装置の形状を収納スペースに合ったものにしたり、装置の容積を小さくすることも容易に実現することが可能になる。
【発明を実施するための最良の形態】
【０００９】
以下、図面を参照して本発明の実施形態を具体的に説明する。なお、各図面を通して同一符号は同一又は対応部分を示すものである。図１は本発明による記録装置の第１の実施形態の模式的外観斜視図であり、図２は図１の記録装置の線２−２に沿った模式的縦断面図である。図３は図２の記録装置を各部位に分解する状態を示す模式的縦断面図であり、図４は図３のように分解された各部位を合体する際に部位を増強して機能を向上させた記録装置の模式的縦断面図である。なお、本実施形態は、ヘッド走査部を１個から２個に増強可能な分解合体可能な記録装置の場合を示す。
【００１０】
図１において、１１は記録媒体を供給するための給紙部位、１２は記録媒体に記録するためのヘッド走査部位、１３は記録された記録媒体を排出するための排紙部位である。また、１４は電力を供給するための電源部位、１５は記録ヘッドを稼働させるための主基板及びモータからなるヘッド稼働部位、１６は空き空間部位である。記録媒体２０に対する記録は、該記録媒体が給紙トレイ１８から排紙トレイ１９へ搬送される過程で行われる。
【００１１】
図２〜図４において、２１は記録装置を外部電源へ接続するためのコンセント、２２は電源部位１４の変圧機である。ヘッド稼働部位１５には、主基板２３、ＡＳＩＣ等の電気素子２４、配線２５及びモータ２６が設けられている。また、ヘッド走査部位１２には、記録ヘッド走査部２７、記録ヘッド２８及びギア２９が設けられている。本実施形態におけるギア２９は、プラテンを兼ねた紙送りローラの駆動伝達ギアを示す。また、３０は記録媒体の通紙ルートを示す。本実施形態においては、電気的機能部位が記録装置の下段に、機械的機能部位が上段に分解可能に格納されている。従来の記録装置及び該記録装置を備えた複合装置においては、電気的機能部位と機械的機能部位が記録装置の内部に混在していた。
【００１２】
図３は図２の記録装置において電気的機能部位と機械的機能部位をさらに機能別に分解して示す図であり、１１は給紙部位、１２はヘッド走査部位、１３は排紙部位、１４は電源部位、１５は主基板及びモータからなるヘッド稼働部位、１６は空き空間部位をそれぞれ示す。図４は、図３のように一度機能別に分解した後、ヘッド走査部３２と主基板及びモータからなるヘッド稼働部位３３との２つの部位を増強して合体した状態を示すものである。例えば、一方の記録ヘッド２８にテキスト記録に適した顔料インクを吐出することが可能な記録ヘッドを搭載し、他方の記録ヘッド３１にフォト画像に適した小液滴を吐出することが可能な記録ヘッドを搭載すれば、どちらの画像を選択しても記録速度及び記録品位を落とすことなく記録することが可能になる。また、これらの部位は、分解合体を何度繰り返し行っても組み立て精度を維持することができる。もちろん、その場合も記録品位が劣化することはない。
【００１３】
なお、本実施形態では、２個の記録ヘッドを用いて機能の増強を図る場合を例示したが、これは、必要に応じて２個以上の記録ヘッドを追加すべく２つ以上のヘッド走査部を増強して良く、本発明はそのような場合にも同様に適用されるものである。このように、本実施形態に係る記録装置及び該記録装置を備えた複合装置においては、少なくとも２つ以上の部位に分解可能であり、前記部位は電気的機能部位と機械的機能部位に分解可能であるように構成される。また、各部位を合体させる手段としては、どの部位にも合体可能となるように全ての部位の側面にパッチ１７（図１）を装着できるように構成される。このパッチ１７は、図２０について後述するようなつぎ当て板構造を有する。また、各部位を合体させる別の手段としては、各部位の表面に凹凸部や磁石を設けることが合体できるように構成する手段を採っても良い。また、本実施形態における各部位を繰り返し分解合体する場合は、記録品位を損なわないために、各部位の外枠を剛性の高いもので構成することが望ましい。
【００１４】
図５は本発明による記録装置の第２の実施形態において分解境界の上半分にある部位を切り離した状態を示す模式的斜視図であり、図６は図５のように切り離された部位を記録装置の分解境界の下半分の部位に合体させた状態を示す模式的斜視図であり、図７は図６の記録装置の中央部に沿った模式的縦断面図である。図５〜図７において、４１は給紙部位、４２はヘッド走査部位、４３は排紙部位、４４は電源部位、４５はヘッド稼働部位、６は空き空間部位をそれぞれ示し、４７は各部位を合体するためのパッチを示す。
【００１５】
また、図７において、４８は記録装置を外部電源へ接続するためのコンセント、４９は電源部位４４の変圧機である。ヘッド稼働部位４５には、主基板５０、ＡＳＩＣ等の電気素子５１、配線５２及びモータ５３が設けられている。また、ヘッド走査部位４２には、記録ヘッド走査部５４、記録ヘッド５５及びギア５６が設けられている。本実施形態におけるギア５６は、プラテンを兼ねた紙送りローラの駆動伝達ギアを示す。
【００１６】
以上説明した第２の実施形態によれば、上下２段に二段に格納されていた各部位を図５に示すように切り離した後、図６に示すように切り離された各部位を下半分の部位に合体させることにより、記録装置の高さを小さくして薄型に変形し、高さのないスペースに収納可能にすることができる。なお、本実施形態では、上下２段配置の各部位を１段にして平坦化するように構成したが、これは、３段以上に格納された各部位を必要に応じてそれより少なくとも１段低い格納状態に組み替え合体するように構成しても良い。
【００１７】
図８は本発明による記録装置及び複合装置の第３の実施形態の模式的斜視図であり、図９は図８の記録装置の中央部における模式的縦断面図である。本実施形態は、図１及び図２に示す第１の実施形態と同様な構成からなる記録装置において、記録装置の分解境界の上半分を折り畳み可能にしたものである。本実施形態においては、図８に示すように、各部位の表面にパッチ７７を装着することが可能となっており、分解及び合体を容易に行えるようになっている。図２０は各部位を分解可能に合体するためのパッチ２７５（図１中のパッチ１７、図５中のパッチ４７及び図８中のパッチ７７に相当）の構造を模式的に示す部分斜視図である。図２０において、パッチ（つぎ当て板構造）２７５は、各部位の連結部に設けられたパッチ受け部２７７にパッチ部材（つぎ当て板部材）２７６の両端部を固定することにより、各部位の相互に固定するように構成されている。
【００１８】
図８及び図９において、７１は給紙部位、７２は空き空間部位、７３は排紙部位、７４は電源部位、７５はヘッド稼働部位、７６はヘッド走査部位をそれぞれ示す。また、７８は記録装置を外部電源へ接続するためのコンセント、７９は電源部位７４の変圧機である。ヘッド稼働部位７５には、主基板８０、ＡＳＩＣ等の電気素子８１、配線８２及びモータ８３が設けられている。また、ヘッド走査部位７６には、記録ヘッド走査部８４、記録ヘッド８５及びギア８６が設けられている。本実施形態におけるギア８６は、プラテンを兼ねた紙送りローラの駆動伝達ギアを示す。
【００１９】
本実施形態においては、図９に示すように、折り畳み不可能な電源部位７４、ヘッド稼働部位７５及びヘッド走査部位７６は記録装置の分解境界の下半分に集約されている。そして、折り畳み可能な給紙部位７１、空き空間部位７２及び排紙部位７３は上段に配置され、必要に応じて図示のように折り畳み可能に構成されている。本実施形態のような分解合体の構成を採ることで、記録装置の小型化が実現することができ、狭いスペースに収納することが可能になる。
【００２０】
図１０は本発明による記録装置及び複合装置の第４の実施形態の模式的斜視図であり、図１１は図１０の記録装置の中央部の模式的縦断面図である。本実施形態は、図１に示す第１の実施形態に相当する記録装置において、給紙部位と排紙部位を取り外した構成を有する。図１０及び図１１において、９１はヘッド走査部位、９２は電源部位、９３はヘッド稼働部位、９４は空き空間部位、９５は各部位を連結固定するためのパッチをそれぞれ示す。
【００２１】
図１１において、９７は記録装置を外部電源へ接続するためのコンセント、９８は電源部位９２の変圧機である。ヘッド稼働部位９３には、主基板９９、ＡＳＩＣ等の電気素子１００、配線１０１及びモータ１０２が設けられている。また、上段のヘッド走査部位９１には、記録ヘッド走査部１０３、記録ヘッド１０４及びギア１０５が設けられている。本実施形態におけるギア１０５は、プラテンを兼ねた紙送りローラの駆動伝達ギアを示す。本実施形態においては、記録媒体９６を水平な状態のままヘッド走査部位９１に差し込み、記録された記録媒体９６は該ヘッド走査部位９１の反対側から水平状態で排出される。本実施形態は、給紙部位及び排紙部位を取り外すことにより、厚紙対応を可能にしたものである。
【００２２】
図１０及び図１１の第４の実施形態においては、通常構成ではヘッド走査部位９１の前後に合体される給紙部位及び排紙部位を分解して取り外すことにより、例えばＣＤ−Ｒや厚紙などの湾曲不可能又は湾曲困難な厚みのある記録媒体に対しても、普通紙等の薄い記録媒体と同様の記録が可能となる。また、本実施形態においては、ヘッド走査部位９１が故障した場合、新品のヘッド走査部位９１に容易に置き換えることができる。こうすることで、わずかなコストで記録装置を初期状態に戻すことが可能になる。さらに、ヘッド走査部位９１の記録ヘッド１０４をさらに性能向上した記録ヘッドに容易に置き換えることも可能である。プリンタ等の記録装置では機能が向上した新製品が毎年発売されるが、本実施形態の構成を採ることで、わずかなコストで記録装置を高性能にグレードアップすることができる。また、廃棄物の量も抑えられ、環境対策としても有効である。
【００２３】
図１２は本発明による記録装置及び複合装置の第５の実施形態を示す模式的斜視図であり、図１３は図１２の記録装置を中央部で断面した模式的縦断面図である。本実施形態は、図１に示す第１の実施形態と同様の構成を用いて、従来１つであったヘッド走査部位を２つ以上合体させることを可能にしたものである。図１２において、記録装置の上段では４つのヘッド走査部位１１２、１１３、１１４、１１５が前後方向に並べて合体されており、それに伴い、下段にも、これらのヘッド走査部位に対応する４つのヘッド稼働部（記録ヘッドを稼働させるための主基板及びモータからなるヘッド稼働部位）１１８、１１９、１２０、１２１が同様に前後方向に並べて合体されている。
【００２４】
図１３に示すように、上記４つのヘッド走査部位のそれぞれに設けられた記録ヘッド１３８、１４０、１４１、１４２はそれぞれインクタンクを搭載しており、いかなるインク色のインクタンクでも搭載可能である。例えば、記録ヘッド１３８はブラックインクを搭載し、記録ヘッド１４０はシアン、マゼンタ及びイエローのカラーインクを搭載し、記録ヘッド１４１はフォトシアン及びフォトマゼンタのフォトインクを搭載し、記録ヘッド１４２はグレーインクを搭載するように構成される。
【００２５】
図１２及び図１３において、上段では、４つのヘッド走査部位１１２〜１１５の搬送方向上流側には給紙部位１１１が合体され、搬送方向下流側には排紙部位１１６が合体されている。また、下段では、４つのヘッド稼働部位１１８〜１２１の搬送方向上流側には電源部位１１７が合体され、搬送方向下流側には空き空間部位１２２が合体されている。そして、上段及び下段を含めて全ての部位は図１２に示すようにパッチ（つぎ当て板構造）１２６によって互いに固定された状態で合体されている。給紙トレイ１２３から差し込まれた記録媒体１２５が給紙部位１１１から各ヘッド走査部位１１２〜１１５を通して搬送される間に所定の記録ヘッドにより記録され、記録された記録媒体１２５は排紙部位１１６から排紙トレイ１２４へ排出される。図１３中の１４５は通紙ルートを示す。
【００２６】
図１３において、１３１は記録装置を外部電源へ接続するためのコンセント、１３２は電源部位１１７の変圧機である。下段の４つのヘッド稼働部位１１８〜１２１のそれぞれには、主基板１３３、ＡＳＩＣ等の電気素子１３４、配線１３５及びモータ１３６が設けられている。また、上段の４つのヘッド走査部位１１２〜１１５には、記録ヘッド走査部１３７、記録ヘッド１３８、１４０、１４１、１４２及びギア１３９が設けられている。本実施形態におけるギア１３９は、プラテンを兼ねた紙送りローラの駆動伝達ギアを示す。図１２及び図１３に示す第５の実施形態のように、ヘッド走査部位及びヘッド稼働部位の組み合わせを所望数合体することで、ユーザが選択するあらゆる画像を記録速度を落とすことなく高速で記録することができる。すなわち、第５の実施形態は、高速の記録装置を実現するのに好適なものである。
【００２７】
図１４は本発明による記録装置及び複合装置の第６の実施形態を示す模式的斜視図であり、図１５は図１４の記録装置を中央部で断面した模式的縦断面図である。本実施形態に係る記録装置は、図１の第１の実施形態と同様な構成の記録装置において、記録媒体を紙送りするための紙送りローラ（搬送ローラ）を２つ以上搭載できるように構成したものである。なお、本実施形態においては、図１４に示すように、各部位の表面に凹凸部１５７を設けることで容易に分解合体できるように構成されている。図２１は各部位を分解可能に合体するための凹凸部２７８（図１４中の凹凸部１５７に相当）の構造を模式的に示す部分斜視図である。図２１において、凹凸部２７８は、各部位の接合部の対応位置に形成された凹部と凸部とを互いに掛止させることにより、各部位を相互に連結固定するように構成されている。
【００２８】
図１４及び図１５において、上段には、給紙部位１５１、ヘッド走査部位１５２及び排紙部位１５３が搬送方向に分解可能に合体され、下段には、電源部位１５４、ヘッド稼働部位１５５及び空き空間部位１５６が搬送方向に分解可能に合体され、上段及び下段の対応する各部位の間を分解可能に合体されている。給紙トレイ１５８から差し込まれた記録媒体１６０が給紙部位１５１からヘッド走査部位１５２及び排紙部位１５３を通して搬送される間に記録ヘッド１６８により記録され、記録された記録媒体１６０は排紙部位１５３から排紙トレイ１５９へ排出される。図１５中の１７１は記録媒体１６０の搬送ルートを示す。
【００２９】
図１５において、１６１は記録装置を外部電源へ接続するためのコンセント、１６２は電源部位１５４の変圧機である。ヘッド稼働部位１５５には、主基板１６３、ＡＳＩＣ等の電気素子１６４、２つの配線１６５及び２つのモータ１６６が設けられている。ヘッド走査部位１５２には、記録ヘッド走査部１６７、記録ヘッド１６８、並びに上記２つのモータ１６６に対応する２つのギア１６９が設けられている。本実施形態におけるギア１６９は、記録媒体を搬送する紙送りローラの駆動伝達ギアを示す。
【００３０】
そこで、上段の給紙部位１５１に紙送りローラ（搬送ローラ）１７２が配設され、下段の電源部位１５４には給紙部位１５１の紙送りローラ１７２に押圧される紙送りローラ１７２が配設され、これらのローラ対により記録媒体１６０に搬送力が付与されている。さらに、上段の排紙部位１５３に紙送りローラ（搬送ローラ）１７２が配設され、下段の空き空間部位１５６に排紙部位１５３の紙送りローラ１７２に押圧される紙送りローラ１７２が配設され、これらのローラ対によっても記録媒体１６０に搬送力が付与されている。なお、本実施形態では、２つの（２箇所に）紙送りローラ対１７２を搭載する場合を例示したが、これは、各部位を利用して３つ以上の紙送りローラ対を搭載する構成にしても良い。
【００３１】
図１４及び図１５の第５の実施形態のように、紙送りローラ１７２が複数位置に配置されるように各部位を合体することにより、記録媒体１６０を精度よく搬送（紙送り）することができる記録装置を構成することができる。すなわち、本実施形態によれば、紙送りローラ１７２を複数位置に配設することで搬送（紙送り）性能を増強することができ、それによって、高い精度で記録媒体を搬送できる記録装置が得られる。また、滑りやすい記録媒体、例えばプラスチックやガラスといった材質の記録媒体を使用する場合でも、滑りを生じることなく正確に搬送することが可能となり、高品位の画像を記録することができる分解合体可能な記録装置が得られる。
【００３２】
図１６は本発明による記録装置及び複合装置の第７の実施形態を示す模式的斜視図であり、図１７は図１６の記録装置を中央部で断面した模式的縦断面図である。本実施形態は、図１の第１の実施形態と同様の記録装置を用いて、既存のヘッド走査部位に加えて、該ヘッド走査部に対し垂直方向に延びるヘッド走査部位を追加合体できるように構成したものである。すなわち、図１６に示すように、既存のヘッド走査部位２１２の長手方向の側面に、該側面から垂直方向に延びるヘッド走査部位（図示の例では１つのヘッド走査部位）２１３が分解合体可能に連結固定されている。図示の例では、ヘッド走査部位２１２の側面に嵌合結合用の凹部又は凸部からなる複数の接続部２１８が設けられ、該接続部２１８に対し、垂直方向のヘッド走査部位２１３の端面に設けられた嵌合用の凸部又は凹部を嵌め込んだり取り外したりすることで、分解合体を行うように構成されている。
【００３３】
図２３は、既存のヘッド走査部位の側面に別のヘッド走査部位を垂直方向に分解合体可能に固定するための凹凸嵌合部２７９（図１６における互いに垂直なヘッド走査部位２１２、２１３を合体するための接続部２１８に相当）の構造を模式的に示す部分斜視図である。図２３において、凹凸嵌合部２７９は、各部位の接合部の対応位置に形成された凹部２８０と凸部２８１を嵌合させて位置決め固定することにより、各部位を相互に連結固定するように構成されている。なお、既存のヘッド走査部位２１２に対して垂直に接続合体されるヘッド走査部位２１３の数は、必要に応じて選定することができる。また、上記凹凸嵌合部２７９における凹部２８０と凸部２８１は、図示の例から互いに入れ替えた箇所に形成しても良い。
【００３４】
図１６及び図１７において、上段には、給紙部位２１１及びヘッド走査部位２１２に加え、上記の垂直方向のヘッド走査部位２１３が配設されており、下段には、電源部位２１４とヘッド稼働部位（主基板及びモータの部位）２１５の他に、前記垂直方向のヘッド走査部位２１３の下側に配置された４つの空き空間部位２１６が設けられている。そして、各部位は、図２０に示すパッチ２７５と同様のパッチ２１７によって全てが分解合体可能に結合固定されている。給紙トレイ２１９から差し込まれた記録媒体２２１は、給紙部位２１１からヘッド走査部位２１２及び２１３を通して搬送される間に記録ヘッド２３８及び２４０により記録され、記録された記録媒体２２１はヘッド走査部位２１３の先端部から排紙トレイ２４３上に排出される。なお、図１７中の２４４は記録媒体２２１の通紙ルートを示す。
【００３５】
図１７において、２３１は記録装置を外部電源へ接続するためのコンセント、２３２は電源部位２１４の変圧機である。ヘッド稼働部位２１５には、主基板２３３、ＡＳＩＣ等の電気素子２３４、２つの配線２３５及び２つのモータ２３６が設けられている。ヘッド走査部位２１２には、記録ヘッド走査部２３７、記録ヘッド２３８、並びにギア２３９が設けられている。このギア２３９はプラテンを兼ねた紙送りローラの駆動伝達ギアを示す。また、垂直方向（搬送方向）に結合されたヘッド走査部位２１３には、通紙ルート２４４に沿って複数の紙送りローラ２４１が配設されている。
【００３６】
本実施形態においては、図１７に示すように、ヘッド走査部位２１２の記録ヘッド２３８は記録媒体２２１の長手方向に垂直な方向に移動（スキャン）しながら記録（稼働）し、ヘッド走査部位２１３の記録ヘッド２４０は記録媒体２２１の長手方向と平行に移動しながら記録していく。従って、本実施形態によれば、紙送り方向のヘッド走査部位２１３を合体することで、表計算で使われる長手方向の罫線に線ズレを生じることなく記録することができ、同時に、従来構成より記録速度を向上させて記録時間を短縮することも可能になる。
【００３７】
図１８は本発明による記録装置及び複合装置の第８の実施形態を示す模式的斜視図であり、図１９は図１８の記録装置を中央部で断面した模式的縦断面図である。本実施形態は、図１の第１の実施形態と同様の記録装置を用いて、上段及び下段のそれぞれにヘッド走査部位を分解合体可能に格納したものである。本実施形態では、図１８及び図１９に示すように、記録装置の上段及び下段のそれぞれに１つずつのヘッド走査部位２５２、２５６が合体されているが、これは、必要に応じて各段又は一方の段に２つ以上のヘッド走査部位を合体させても良い。そこで、下段のヘッド走査部位２５６は、上段のヘッド走査部位２５２に対し、上下反転させた姿勢で合体されている。
【００３８】
なお、本実施形態においては、図示されていないが、各部位の表面に磁石が埋め込まれており、分解合体を簡単かつ容易に行えるように構成されている。図２２は各部位を分解可能に磁石で合体するための磁石結合部の構造を模式的に示す縦断面図である。図２２において、各部位の合体時の結合部にはＮ極及びＳ極を有する磁石が埋め込まれており、接合される部位の磁石との間に作用する磁力により相互に固定することができる。従って、本実施形態では、各部位を位置決めするだけで簡単に合体することができ、分解を容易に行うことができる。
【００３９】
図１８及び図１９において、上段には、給紙部位２５１、ヘッド走査部位２５２及びヘッド稼働部位２５３が搬送方向に分解可能に合体され、下段には、電源部位２５４、ヘッド稼働部位２５５及びヘッド走査部位２５６が搬送方向に分解可能に合体され、上段及び下段の対応する各部位の間も分解可能に合体されている。給紙トレイ２５８から差し込まれた記録媒体２６０は、給紙部位２５１及び上段のヘッド走査部位２５２を通った後、下段のヘッド走査部位２５６内へ導かれ、該ヘッド走査部位２５６を通った後排紙トレイ２５９へ排出される。その際、上段のヘッド走査部位２５２では記録媒体２６０の第１の面（おもて面）に対する記録が行われ、下段のヘッド走査部位２５６では第２の面（裏面）に対する記録が行われる。すなわち両面記録を行うことができる。図１９中の破線２７４は記録媒体２６０の通紙ルートを示す。
【００４０】
図１９において、２６１は記録装置を外部電源へ接続するためのコンセント、２６２は電源部位２５４の変圧機である。上段及び下段のヘッド稼働部位２５３及び２５５のそれぞれには、主基板２６３、ＡＳＩＣ等の電気素子２６４、配線２６５及びモータ２６６が設けられている。また、上段のヘッド走査部位２５２には、記録ヘッド走査部２６７、記録ヘッド２６８及びギア２６９が設けられている。一方、下段のヘッド走査部位２５６には、上下反転した姿勢で、記録ヘッド走査部２７０、記録ヘッド２７１及びギア２６９が設けられている。本実施形態におけるギア２６９は、プラテンを兼ねた紙送りローラの駆動伝達ギアを示す。
【００４１】
本実施形態によれば、一方の記録ヘッド２６８で記録媒体２６０の片面を記録し、他方の記録ヘッド２７１で残りの面を記録することができるため、片面記録の場合と比べて、送り速度を減速することなく同じ搬送速度で、直線的な搬送ルートに沿って記録媒体２６０を搬送しながら、記録媒体２６０の両面に記録することができる。また、Ｕターン搬送機構を必要としないので、紙詰まりしやすいという不都合も解消することができる。
【００４２】
なお、以上の実施形態では、主として、記録媒体を供給するための給紙部位、記録媒体に記録するためのヘッド走査部位、記録された記録媒体を排出するための排紙部位、電力を供給するための電源部位、及び記録ヘッドを稼働させるための主基板及びモータからなるヘッド稼働部位を備え、これらを分解可能に合体する場合を例示したが、本発明は、これらの部位を全て備えていない場合でも、電気的機能部位及び機械的機能部位の少なくとも２つ以上の部位に分解可能であるように構成できるものである。この場合、通常の記録装置では、前記電源部位及び前記ヘッド稼働部位は前記電気的機能部位に該当し、前記給紙部位、前記ヘッド走査部位及び前記排紙部位は前記機械的機能部位に該当する。
【００４３】
また、前述の実施の形態では、各部位を分解可能に合体する手段として、パッチ２７５（図２０）、凹凸部２７８（図２１）、磁石（図２２）あるいは凹凸嵌合部２７９（図２３）を用いる場合を説明したが、本発明における合体手段はこのような構造に限定されるものではなく、各部位を相互に位置決め固定できる構造であれば、その他にも種々の構造のものを採用することができる。なお、前述のような各部位を繰り返し分解合体することにより各部位相互間に若干の位置ズレが生じて記録品位を損なうことが懸念されるが、そのような場合には、各部位の外枠として剛性の高い部材もしくは構造物を使用することが好ましい。
【００４４】
以上説明した各実施形態によれば、記録装置あるいは該記録装置を備えた複合装置を構成する各部位の分解合体を容易にすることで、ユーザ自身による一部の部位の取り替えや一部の部位の機能増強を可能にすることができ、記録装置あるいは該記録装置を備えた複合装置の修理や性能向上を容易にすることができる。さらに、分解後の合体により装置の形状を収納スペースに合ったものにしたり、装置の容積を小さくすることも容易に実現することが可能になる。
【００４５】
また、以上説明した実施の形態によれば、インクジェット記録装置及び複合装置の収納方法において、少なくとも２つ以上の部位に分解可能であり、前記部位は電気的機能部位と、機械的機能部位に分解可能であるように構成することで、装置の分解合体を容易にすることができ、ユーザ自身による一部の部位の取り替えや一部の部位の機能増強を可能にすることができ、装置の修理や性能向上を容易にすることができるインクジェット記録装置及び複合装置の収納方法が提供されている。
【００４６】
なお、本発明は、記録媒体を記録ヘッドで主走査しながら記録するシリアル記録装置、あるいは、記録媒体の全幅又は一部をカバーする長さの記録ヘッドを用いて副走査のみで記録するライン記録装置など、記録態様の如何にかかわらず適用可能なものであり、同様の作用効果を奏するものである。また、本発明は、インクジェット式、熱転写式、レーザビーム照射式、ワイヤドット式などの記録方式の如何に関わらず適用可能なものであり、同様の作用効果を奏するものである。
【００４７】
また、本発明は、１個の記録ヘッドを用いる記録装置、異なる色のインクで記録する複数の記録ヘッドを用いるカラー記録装置、あるいは同一色彩で異なる濃度で記録する複数の記録ヘッドを用いる階調記録装置、さらには、これらを組み合わせた記録装置の場合にも、同様に適用することができ、同様の効果を達成し得るものである。さらに、本発明は、インクジェット記録装置に適用する場合、記録手段とインクタンクを一体化した交換可能なインクカートリッジを用いる構成、記録手段とインクタンクを別体にし、その間をインク供給用チューブ等で接続する構成など、記録手段とインクタンクの配置構成がどのような場合にも同様に適用することができ、同様の効果が得られるものである。
【図面の簡単な説明】
【００４８】
【図１】本発明による記録装置の第１の実施形態の模式的外観斜視図である。
【図２】図１の記録装置の線２−２に沿った模式的縦断面図である。
【図３】図２の記録装置を各部位に分解する状態を示す模式的縦断面図である。
【図４】図３のように分解された各部位を合体する際に部位を増強して機能を向上させた記録装置の模式的縦断面図である。
【図５】本発明による記録装置の第２の実施形態において分解境界の上半分にある部位を切り離した状態を示す模式的斜視図である。
【図６】図５のように切り離された部位を記録装置の分解境界の下半分の部位に合体させた状態を示す模式的斜視図である。
【図７】図６の記録装置の中央部に沿った模式的縦断面図である。
【図８】本発明による記録装置及び複合装置の第３の実施形態の模式的斜視図である。
【図９】図８の記録装置の中央部における模式的縦断面図である。
【図１０】本発明による記録装置及び複合装置の第４の実施形態の模式的斜視図である。
【図１１】図１０の記録装置の中央部の模式的縦断面図である。
【図１２】本発明による記録装置及び複合装置の第５の実施形態を示す模式的斜視図である。
【図１３】図１２の記録装置を中央部で断面した模式的縦断面図である。
【図１４】本発明による記録装置及び複合装置の第６の実施形態を示す模式的斜視図である。
【図１５】図１４の記録装置を中央部で断面した模式的縦断面図である。
【図１６】本発明による記録装置及び複合装置の第７の実施形態を示す模式的斜視図である。
【図１７】図１６の記録装置を中央部で断面した模式的縦断面図である。
【図１８】本発明による記録装置及び複合装置の第８の実施形態を示す模式的斜視図である。
【図１９】図１８の記録装置を中央部で断面した模式的縦断面図である。
【図２０】各部位を分解可能に合体するためのパッチの構造を模式的に示す部分斜視図である。
【図２１】各部位を分解可能に合体するための凹凸部の構造を模式的に示す部分斜視図である。
【図２２】各部位を分解可能に合体するための磁石結合部の構造を模式的に示す縦断面図である。
【図２３】ヘッド走査部位の側面に別のヘッド走査部位を垂直方向に分解可能に合体するための凹凸嵌合部を模式的に示す斜視図である。
【図２４】記録装置の従来例を示す模式的斜視図である。
【符号の説明】
【００４９】
１１、４１、７１        給紙部位
１２、３２、６１、７６        ヘッド走査部位
１３、４３、７３        排紙部位
１４、４４、７４        電源部位
１５、３３、４５、７５        ヘッド稼働部位
１６、４６、７２        空き空間部位
１７、４７、７７        パッチ
１８        給紙トレイ
１９        排紙トレイ
２０        記録媒体
２１、４８、７８        コンセント
２２、４９、７９        変圧機
２３、５０、８０        主基板
２４、５１、８１        電気素子
２５、５２、８２        配線
２６、５３、８３        モータ
２７、５４、８４        記録ヘッド走査部
２８、３１、５５、８５        記録ヘッド
２９、５６、８６        ギア
３０        通紙ルート
９１      ヘッド走査部位
９２      電源部位
９３      ヘッド稼働部位
９４      空き空間部位
９５      パッチ
９６      記録媒体
９７      コンセント
９８      変圧機
９９      主基板
１００    電気素子
１０１    配線
１０２    モータ
１０３    記録ヘッド走査部
１０４    記録ヘッド
１０５    ギア
１１１、１５１    給紙部位
１１２、１１３、１１４、１１５、１５２    ヘッド走査部位
１１６、１５３    排紙部位
１１７、１５４    電源部位
１１８、１１９、１２０、１２１、１５５    ヘッド稼働部位
１２２、１５６    空き空間部位
１２３、１５８    給紙トレイ
１２４、１５９    排紙トレイ
１２５、１６０    記録媒体
１２６    パッチ
１３１、１６１    コンセント
１３２、１６２    変圧機
１３３、１６３    主基板
１３４、１６４    電気素子
１３５、１６５    配線
１３６、１６６    モータ
１３７、１６７    記録ヘッド走査部
１３８、１４０、１４１、１４２、１６８    記録ヘッド
１３９、１６９    ギア
１５７    凹凸部
１７１    記録媒体の通紙ルート
１７２    紙送りローラ
２１１、２５１    給紙部位
２１２、２１３、２５２、２５６    ヘッド走査部位
２１４、２５４    電源部位
２１５、２５３、２５５    ヘッド稼働部位
２１６    空き空間部位
２１７、２５７    パッチ
２１８    接続部
２１９、２５８    給紙トレイ
２２１、２６０    記録媒体
２３１、２６１    コンセント
２３２、２６２    変圧機
２３３、２６３    主基板
２３４、２６４    電気素子
２３５、２６５    配線
２３６、２６６    モータ
２３７、２６７、２７０    記録ヘッド走査部
２３８、２４０、２６８、２７１    記録ヘッド
２３９、２４１、２６９    ギア
２４３、２５９    排紙トレイ
２４４、２７４    通紙ルート
２７５    パッチ
２７６    パッチ部材
２７７    パッチ受け部
２７８    凹凸部
２７９    凹凸嵌合部
２８０    凹部（接続部）
２８１    凸部
【図１】
2006123187.tif 000003
【図２】
2006123187.tif 000004
【図３】
2006123187.tif 000005
【図４】
2006123187.tif 000006
【図５】
2006123187.tif 000007
【図６】
2006123187.tif 000008
【図７】
2006123187.tif 000009
【図８】
2006123187.tif 000010
【図９】
2006123187.tif 000011
【図１０】
2006123187.tif 000012
【図１１】
2006123187.tif 000013
【図１２】
2006123187.tif 000014
【図１３】
2006123187.tif 000015
【図１４】
2006123187.tif 000016
【図１５】
2006123187.tif 000017
【図１６】
2006123187.tif 000018
【図１７】
2006123187.tif 000019
【図１８】
2006123187.tif 000020
【図１９】
2006123187.tif 000021
【図２０】
2006123187.tif 000022
【図２１】
2006123187.tif 000023
【図２２】
2006123187.tif 000024
【図２３】
2006123187.tif 000025
【図２４】
2006123187.tif 000026